(57)【要約】【課題】簡単な操作により適時に適温に液体化粧料等を加熱して、該液体化粧料等の効果を十分に発揮させたり、粘度を低下させて簡易且つ確実に使用することができるようにする。【解決手段】ディスペンサ容器１のディスペンサ６をなすノズル部２１に良熱伝導性の金属製パイプ２３を内装するとともに、該金属製パイプ２３の外側面を取り巻くようにヒーター２４を配置するものであって、ノズル部２１の傾動をスイッチ機構に連動させて該スイッチ機構２７を作動させて液体化粧料等５の加熱を行うものであるので、室温の低下に伴い該液体化粧料等の液温が低下してしまっても、最小限の動作により、ノズル部に内装する金属製パイプ内の液体化粧料等を加熱して使用に適した温度とすることができ、該液体化粧料等の有する効果を十分に得たり、又は流動性を高めて確実に塗布を行えるものとなる。【選択図】図２
2008110324.tif 000002
【特許請求の範囲】
【請求項１】
液体化粧料等を貯溜してなるボトルの開口部に装着されるディスペンサであって、該ボトル内に貯溜する液体化粧料を吸い上げてなるポンプ、下方への押圧操作によりジョイント筒を介して連結するポンプを作動させるへッド部、及び該ヘッド部に一体に保持され、内装するパイプの一端をジョイント筒を介してポンプと連結し、他端を吸い上げた液体化粧料等を外部に吐出する吐出孔に連結するものであって、その内部において液体化粧料等を貯溜してなるノズル部から構成され、
該ノズル部内において液体化粧料等を加熱する加熱機構を設けてなることを特徴とするヒーターディスペンサ。
【請求項２】
上記ヘッド部において一体に保持されるノズル部内に、スイッチ機構を介して電源と接続するヒーターを配置することを特徴とする請求項１記載のヒーターディスペンサ。
【請求項３】
上記ヘッド部において一体に保持されるノズル部内に内装されるパイプを、良熱伝導性のパイプとするとともに、該パイプの外側面を取り巻くように、スイッチ機構を介して電源と接続するヒーターを配置することを特徴とする請求項１記載のヒーターディスペンサ。
【請求項４】
上記ヘッド部において一体に保持されるノズル部内に内装されるパイプと、ポンプへ連結するジョイント筒との間に、屈撓自在となるフレキシブルチューブを介在させるとともに、ヘッド部と一体となる突出部を該ノズル部の下面側に設けた上、ノズル部を下方に向けて傾動自在とするとともに、前記ノズル部下面と該突出部とを開放方向へ弾撥するスプリングをもって連接する一方、上記ヒーターと電源との間に接続されるスイッチ機構を前記突出部においてノズル部に対向するよう配置し、ノズル部の傾動によるスイッチ機構への押勢によって該スイッチ機構を作動させてなることを特徴とする請求項２又は３記載のヒーターディスペンサ。
【請求項５】
上記電源をディスペンサに一体に固持してなることを特徴とする請求項２乃至４記載のヒーターディスペンサ。
【請求項６】
上部に開口部を配設するとともに、その内部に液体化粧料等を貯溜してなるボトルと、請求項１乃至５記載のヒーターディスペンサとからなり、開口部に該ヒーターディスペンサを装着してなるヒーターディスペンサ容器。
【発明の詳細な説明】
【技術分野】
【０００１】
本願発明は、クレンジングオイルやヘアートリートメント等の液体化粧料等を貯留したボトルから、必要に応じて該液体化粧料を供給するディスペンサ及びディスペンサを装着したディスペンサ容器に関するものである。
【背景技術】
【０００２】
従来より、クレンジングオイルやヘアートリートメント等の液体化粧料等をボトルに貯留し、必要に応じて供給するディスペンサ容器は、使用者がディスペンサを操作、例えばディスペンサを構成するヘッド部に対して下方への押圧操作を行うことでディスペンサのポンプを作動させると、該ポンプが発生する正圧及び負圧により、吸い上げた液体化粧料等を内装するパイプを通じてヘッド部のノズル部の吐出孔より吐出させるとともに、次の使用に備え、ボトル内に貯留する該液体化粧料等をノズル部に内装するパイプ内へと吸い上げてなるものである（特許文献１参照）。
【０００３】
しかしながら、上記従来の液体化粧料等のディスペンサ容器では、冬場等のように室温が低下すると次のような欠点が生じる。即ち、ボトル内に貯留する液体化粧料等がクレンジングオイルの場合、予めノズル部に内装するパイプに吸い上げてあるクレンジングオイルの液温は低下するものとなる。そして、この液温の低下したクレンジングオイルをそのまま皮膚に塗布しても、低い液温により皮膚の毛穴は収縮しクレンジングオイルは十分に毛穴の奥まで行き渡らず、毛穴の奥の汚れを落とすことができないものである。また、ヘアートリートメントのように常温でも粘度が高いものであると、液温が低下することで更に粘度が高くなって流動性が低くなり、ディスペンサ容器のノズル部から必要量を吐出させることができないことがある。そして無理矢理吐出させようとして繰り返しヘッド部に対する押圧操作を行うと、ディスペンサ容器内の圧力が異常に上昇し、ついにはノズル部からヘアートリートメントが噴出し、周囲を汚損するおそれがある。更に、折角吐出させても粘度が高く流動性が低いと満遍なく塗布することは困難となる。
【特許文献１】特開平９−１０３７１７号
【発明の開示】
【発明が解決しようとする課題】
【０００４】
解決しようとする問題点は、ボトル内に貯留する液体化粧料等の効果を十分に発揮させることができるようにするとともに、液体化粧料等の流動性を高めて使用し易くするものである。
【課題を解決するための手段】
【０００５】
そのために、ボトル内に貯留する液体化粧料等を、ディスペンサを構成するノズル部内に吸い上げるとともに、必要に応じて適温に加熱した上で、この加熱した液体化粧料等を供給できるようにするものである。
【０００６】
そこで、第１の特徴として、液体化粧料等を貯溜してなるボトルの開口部に装着されるディスペンサであって、該ボトル内に貯溜する液体化粧料を吸い上げてなるポンプ、下方への押圧操作によりジョイント筒を介して連結するポンプを作動させるへッド部、及び該ヘッド部に一体に保持され、内装するパイプの一端をジョイント筒を介してポンプと連結し、他端を吸い上げた液体化粧料等を外部に吐出する吐出孔に連結するものであって、その内部において液体化粧料等を貯溜してなるノズル部から構成され、
該ノズル部内において液体化粧料等を加熱する加熱機構を設けてなるものである。
【０００７】
その結果、ディスペンサのヘッド部に対して下方への押圧操作を行うことで、ボトル内に貯留する液体化粧料等がポンプにより吸い上げられるとともに、その一部がノズル内部に滞留するので、該液体化粧料等はノズル部内において加熱機構により加熱されることで必要な温度にまで上昇し、供給されるものとなる。
【０００８】
上記第１の特徴を踏まえて、第２の特徴として、上記ヘッド部において一体に保持されるノズル部内に、スイッチ機構を介して電源と接続するヒーターを配置するものである。
【０００９】
その結果、ディスペンサのヘッド部に対して下方への押圧操作を行うことで、ボトル内に貯留する液体化粧料等がポンプにより吸い上げられるとともに、その一部がノズル部内に滞留する。そして、ノズル部内に滞留する液体化粧料等はヒーターにより直接加熱されるので、迅速且つ効率的に加熱されることで必要な温度まで上昇し、供給されるものとなる。
【００１０】
上記第１の特徴を踏まえて、第３の特徴として、ヘッド部において一体に保持されるノズル部内に内装されるパイプを、良熱伝導性のパイプとするとともに、該パイプの外側面を取り巻くように、スイッチ機構を介して電源と接続するヒーターを配置するものである。
【００１１】
その結果、ディスペンサのヘッド部に対して下方への押圧操作を行うことで、ボトル内に貯留する液体化粧料等がポンプにより吸い上げられるとともに、その一部がノズル部に内装される良熱伝導性のパイプ内に滞留する。そして、スイッチ機構を作動させてヒーターによる加熱を行うことで、ノズル部内のパイプがヒーターにより加熱され、同時に該パイプ内に滞留する液体化粧料等は加熱されて必要な温度まで上昇し、供給されるものとなる。また、液体化粧料等はパイプを介して間接的に加熱されているため、液体化粧料等によるヒーターの腐食や加熱後も一定時間液体化粧料等の保温を行うことができる。
【００１２】
なお、上記良熱伝導性のパイプとしては、樹脂製又は金属製のものが考えられ、樹脂製は軽量化や可撓性に優れ製造作業等においては有利であるが、金属製は熱伝導率が高く液体化粧料等を効率よく加熱することができるとともに、熱耐久性を有することから、金属製のパイプを用いることが好ましいものである。
【００１３】
上記第２又は３の特徴を踏まえて、第４の特徴として、上記ヘッド部において一体に保持されるノズル部に内装されるパイプと、ポンプへ連結するジョイント筒との間に、屈撓自在となるフレキシブルチューブを介在させるとともに、ヘッド部と一体となる突出部を該ノズル部の下面側に設けた上、ノズル部を下方に向けて傾動自在とするとともに、前記ノズル部下面と該突出部とを開放方向へ弾撥するスプリングをもって連接する一方、上記ヒーターと電源との間に接続されるスイッチ機構を前記突出部においてノズル部に対向するよう配置し、ノズル部の傾動によるスイッチ機構への押勢によって該スイッチ機構を作動させてなるものである。
【００１４】
そのため、該ヘッド部に一体に保持されるノズル部を下方へ向けて傾動させてスイッチ機構を押勢することで、ヒーターを加熱させることができるので、洗顔中又は洗髪中において視覚に頼ることができない状況下であっても最小限の動作で、簡易且つ確実に必要な温度にまで上昇した液体化粧料等を得ることができるものとなる。
【００１５】
更に、上記第２乃至４の特徴を踏まえて、第５の特徴として、上記電源をディスペンサに一体に固持してなるものである。
【００１６】
そのため、電源を含めてディスペンサを一体化することができるので、替えボトルに対してもディスペンサを装着して使用することができるものとなる。
【００１７】
なお、スイッチ機構とともにタイマー、電源又は電源に接続する電源アダプターを一体にコントローラーとし、ディスペンサーが大量の水を浴びることで発生する故障の防止、又は美容室等での使用に際して施術者の作業における利便性を向上させる等のために、ディスペンサーとは別体としても良いものである。
【００１８】
又、上部に開口部を配設するとともに、その内部に液体化粧料等を貯留してなるボトルと、前記いずれかの特徴を有するヒーターディスペンサとからなり、前記開口部に該ヒーターディスペンサを装着してなるヒーターディスペンサ容器である。
【発明の効果】
【００１９】
本願発明は、ボトル内に貯留する液体化粧料等を、使用する直前に適温に加熱できるので、該液体化粧料等を変質させることなくその効果を十分に発揮させて使用することができ、また加熱することで液体化粧料等の粘度を低下させて流動性を高められるので、使用者は簡易且つ確実に液体化粧料等を使用することができる優れた効果を有する。
【実施例１】
【００２０】
図１において示される１は、本願発明の実施例１であるヒーターディスペンサ容器である。該ヒーターディスペンサ容器１は、上部に、外側面にねじ部４を螺設する開口部３を配設するとともに、その内部に液体化粧料等５を貯溜してなるボトル２と、該ボトル２内に貯溜する液体化粧料等５を吸い上げてなるポンプ７、下方への押圧操作によりジョイント筒２０を介して連結するポンプ７を作動させるへッド部１９、及び該ヘッド部１９に一体に保持されるノズル部２１からなるディスペンサ６並びに、該ディスペンサ６とそのポンプ７上部において一体に装着される電源２８とによって構成される。
【００２１】
そして、上記ヘッド部１９において一体に保持されるノズル部２１に内装されるパイプを、例えばアルミニウムやその合金、又はステンレス等の良熱伝導性の金属製パイプ２３とするとともに、該金属製パイプ２３の外側面を取り巻くように、スイッチ機構２７を介してディスペンサ６に一体に固持される電源２８とリード線３６を通じて接続する、例えばニクロム線等のヒーター２４を断熱材２５により包装しつつ配置するものである。
なお、ノズル部２１内に滞留する液体化粧料等５を迅速且つ確実に加熱するために、図７に示すように、ノズル部２１に穿設した孔２１ａに対してシールパッキン２１ｂにより密閉しつつその内部にシリコンゴムチューブ等により被覆したニクロム線等のヒーター２４を配設してもよいものである。その結果、ノズル部２１内で液体化粧料等５とヒーター２４とは直接接触するので、液体化粧料等５は、迅速且つ確実に必要な温度まで温度上昇するものとなる。
【００２２】
更に、上記ヘッド部１９において一体に保持されるノズル部２１内に内装される金属製パイプ２３の一端と、ポンプ７へ連結するジョイント筒２０との間に屈撓自在となるフレキシブルチューブ２６を介在させて、ノズル部２１をヘッド部１９に対して下方へ傾動自在とするとともに、前記金属製パイプ２３の他端は、ボトル２内より吸い上げた液体化粧料等５を外部に吐出する吐出孔２２に連結する。
一方、ノズル部２１の下面側に、先端側を下方へ傾斜させつつ、ヘッド部１９と一体となる突出部１９ａを設け、該ノズル部２１下面と突出部１９ａ先端とを開放方向へ弾撥するスプリング３５をもって連接することによって、ノズル部２１を下方に向けて傾動自在、且つ、スプリング３５の弾撥によって復元自在とする。
ところで、上記ヒーター２４と電源２８との間に接続されるスイッチ機構２７は、スイッチ本体２７ａとスイッチプレート２７ｂとスイッチボタン２７ｃとからなり、スイッチボタン２７ｃはスイッチ本体２７ａより上方へ突出して設けられ、一端側をスイッチ本体２７ａ上部に固定して、他端側を回動自在とするスイッチプレート２７ｂによって押圧自在となっている。このスイッチ機構２７を前記ヘッド部１９と一体となる突出部１９ａにおいて、スイッチプレート２７ｂの固定端側を傾斜面の上部側として前記ノズル部２１に対向するように配置するものである。その結果、ノズル部２１が傾動していない状態で、ノズル部２１とスイッチプレート２７ｂとは略平行となっている。
そのため、ノズル部２１を下方へ傾動させることで、スイッチプレート２７ｂを押圧し、該スイッチプート２７ｂがスイッチボタン２７ｃを打突してスイッチ機構２７を作動させるとともに、ノズル部２１はスプリング３５の弾撥力によって自動的に元の位置に復帰する。
なお、該スイッチ機構２７を含む電気回路には、タイマー回路や定電圧回路(図示省略）が組み込まれてヒーター２４の制御を行い、液体化粧料等５の安定した加熱を可能にする。また、この他にも、ノズル部２１の操作、例えばノズル部２１のスイッチプレート２７ｂに対する押圧回数、すなわちスイッチボタン２７ｃの打突回数に応じて液体化粧料等５の加熱温度を任意に変化させたり、また長時間操作が行われない場合、手動によらず自動的に主電源を切断して電源２８を保護する回路を組み込むこともできる。
【００２３】
更に、タイマー２８”、スイッチ機構２７、電源２８又は電源アダプター２８’を一つにまとめてコントローラー３７とし、ディスペンサ６とは別体とするものであってもよい〔図６（イ）参照〕。又、スイッチ機構２７はノズル部２１に設け、タイマー２８”や電源２８等を別体としてもよい。このときリード線３６の途中に着脱自在となるコネクター３８を配設することで、ディスペンサ６をボトル２に対して脱着する際に該コネクター３８を分離してリード線３６を短くすることで、ディスペンサ６はボトル２に対して容易に回すことができ、迅速且つ簡単に脱着を行えるようにもなる〔図６（ロ）参照〕。以上のように、少なくともディスペンサ６とタイマー２８”や電源２８等とを別体とすることで、大量の水をヒーターディスペンサ容器１が浴びることとなっても電気系統に対する水分の影響を最小限にできるので故障を十分に防止できるものとなる。その上、美容室等での使用に際しては施術者にとって都合がよい位置に上記コントローラー３７を設置することで、作業の利便性を向上させることもできる。
【００２４】
一方、本願発明の実施例１におけるヒーターディスペンサ容器１を構成するボトル２とディスペンサ６とは、該ボトル２の開口部３の端縁に、パッキン３３とともにポンプ本体筒１３の外側面に周設されるフランジ１３ｂを載置した上で、バッテリーホルダー３０に保持されたバッテリー３１を内装する筐体上部２９ａと筐体下部２９ｂとからなる電源２８の筐体２９のネジ部３２と、ボトル２の開口部３の外側面に螺設されるネジ部４とを螺合させることで、該ネジ部３２の上周縁部３４とボトル２の開口部３の端縁との間に、ポンプ本体筒１３の外側面に周設されるフランジ１３ｂがパッキン３３とともに一体に挟持されて固定されるものとなる。
【００２５】
ここで、ディスペンサ６をなすポンプ７は従来周知のものであるが、次のように構成されているものである。
即ち、ポンプ７は、その上部には固定蓋９により閉塞される開口部８が、又、その下部にはボトル２の内底方向に向けて幅狭のテーパー状となりボール弁１１により閉塞自在となる吸入孔１０を有するポンプ本体筒１３と、該吸入孔１０に連結されたチューブ１２からなり、ヘッド部１９と一体に連結するジョイント筒２０が前記固定蓋９を貫通した上、その端部に導入筒１５を固持してポンプ本体筒１３内の空間１４に挿入され、更に該ジョイント筒２０の端部及び導入筒１５の外側面には、周断面がＨ形状の弾性体のピストン１６が、ポンプ本体筒１３の内壁面に密着するように装着されている。そのため、該空間１４はピストン１６を境にして、固定蓋９と固定蓋９を貫通するジョイント筒２０との間の隙間を通して外部と通気可能とされる空間上部１４ａと、常時ポンプ本体筒１３の内壁面との間で気密性が保持される空間下部１４ｂとに区画される。その上で、空間上部１４ａにはポンプ本体筒１３にボトル２内と連通する空気孔１７が穿設されるとともに、該空気孔１７は、外部とボトル２の内部との密閉性を維持、解除するために、固定蓋９と連結してポンプ本体筒１３の内壁面に当接する垂下縁９ａとピストン上部１６ａとの当接又は離隔によって開閉自在となる。また空間下部１４ｂには、ジョイント筒２０の端部に固持された導入筒１５の保持部１５ａとポンプ本体筒１３の係止段部１３ａとの間にスプリング１８を内装する。
以上のようにポンプ７は構成されるため、このヒーターディスペンサ容器１の使用に際して次のように作動する。なお、未使用の場合を除いて、通常ディスペンサ６内にはチューブ１２よりノズル部２１先端までボトル２内の液体化粧料等５が充満しているものである。
まず、ヘッド部１９に対して下方への押圧操作を行うことで、ポンプ本体筒１３の空間下部１４ｂ内では、該ヘッド部１９と一体となったジョイント筒２０の端部に固持された導入筒１５及びピストン１６が押し下げられ、スプリング１８を圧縮するとともに、該空間下部１４ｂ内の容積を圧縮しようとする。そのため、該空間下部１４ｂ内の液体化粧料等５は、空間下部１４ｂ内でボール弁１１をポンプ本体筒１３の吸入孔１０に対して押し付けて閉塞してしまい、該空間下部１４ｂ内に充満する液体化粧料等５の圧力は上昇することになる。一方、ポンプ本体筒１３の空間上部１４ａでは、ピストン１６が押し下げられることで当接していた固定蓋９と連結した垂下縁９ａとピストン上部１６ａとが離隔するので、ピストン本体筒１３に穿設された空気孔１７は開放、即ち密閉性は解除され、外部とボトル２内とは通気可能となる。
そして、該空間下部１４ｂ内において圧力の上昇した液体化粧料等５は、導入筒１５、ジョイント筒２０、フレキシブルチューブ２６及びノズル部２１に内装される金属製パイプ２３へと流動し、最終的にはノズル部２１内に貯留されていた液体化粧料等５を押し出して吐出孔２２より吐出することになる。
その後、ヘッド部１９への押圧操作を解除することで、空間下部１４ｂ内で圧縮されていたスプリング１８がその弾撥力により伸長するので、ピストン１６、導入筒１５及びジョイント筒２０、更にはジョイント筒２０と一体のヘッド部１９は元の位置へ復帰するために上昇する。そのため、ポンプ本体筒１３の空間下部１４ｂの容積が膨張することで負圧が発生するので、吸入孔１０を閉塞していたボール弁１１はその負圧により上昇するとともに、ボトル２内に貯溜する液体化粧料等５をチューブ１２を介してポンプ本体筒１３の吸入孔１０より適宜吸い上げるものである。その際、ピストン上部１６ａが固定蓋９と連結した垂下縁９ａに当接して密閉性が維持されるようになるまでの間、ポンプ本体筒１３の空間上部１４ａの開放されている空気孔１７より、ボトル２内から吸い上げられた液体化粧料等５の容積に応じて空気がボトル２内に吸入されるため、ボトル2内には負圧が生ぜず、常にディスペンサ６内においては、液体化粧料等５がノズル部２１先端にまで充満するものとなる。
【００２６】
以上のように、本願発明の実施例１であるヒーターディスペンサ容器１は構成されるので、使用者は以下のようにして使用するものである。
なお、全く該ヒーターディスペンサ容器１が未使用であると、ディスペンサ６内にはボトル２内に貯溜する液体化粧料等５が充満していないので、ヘッド部１９に対して繰り返し押圧動作をおこなうことでポンプ７を作動させ、予めノズル部２１先端まで液体化粧料等５を充満させておく必要がある。
【００２７】
まず、使用者がこのヒーターディスペンサ容器１から加熱した液体化粧料等５を吐出させようとする場合は、ノズル部２１を下方へ傾動させることで、該ノズル部２１の下面によってスイッチ機構２７のスイッチプレート２７ｂを押圧して、該スイッチプレート２７ｂによってスイッチボタン２７ｃを打突させ、スイッチ機構２７を作動させる。これによってスイッチが入り、電源２８よりノズル部２１に内装する金属製パイプ２３の外側面を取り巻くように配置されるヒーター２４に対して電気が供給されることで、ヒーター２４が加熱されて、金属製パイプ２３も加熱されることとなる。その結果、該金属製パイプ２３内に滞留する液体化粧料等５も同様に加熱されるものとなる。このとき、ヒーター２４に対する電気の供給はタイマー回路や定電圧回路によって制御されているので、予め設定した温度で一定時間加熱することができ、液体化粧料等５を使用に適した温度状態にすることができる上、金属製パイプ２３はその外側面に取り巻くように配置されるヒーター２４とともに断熱材２５により包装されているので、加熱された液体化粧料等５の温度は容易に低下することがなく、又、加熱時に不用意にノズル部に触っても、安全性を維持することができるものである。
【００２８】
そして、予め設定されていた時間加熱した後、使用者がヘッド部１９に対して押圧操作を行うことで、上述したポンプ７の作動により、ノズル部２１に内装される金属製パイプ２３内に滞留し、ヒーターによって適温に加熱された液体化粧料等５を、ノズル部２１の吐出孔２２より吐出させることができる。
【００２９】
また、一旦ノズル部２１の吐出孔２２より加熱した液体化粧料等５を吐出させてしまった後は、上記ヘッド部１９に対する下方への押圧操作をやめることで、上述したポンプ７の作動により、ポンプ本体筒１３の空間下部１４ｂにおいて発生する負圧によって、ボトル２内から新たな液体化粧料等５を吸い上げて、再度ノズル部２１の先端まで液体化粧料等５を充満させるものである。
【００３０】
なお、ボトル２内に貯溜する液体化粧料等５が全てなくなってしまった場合には、電源２８のネジ部３２と、ボトル２の開口部３の外側面に螺設するネジ部４との螺合を解くことでディスペンサ６とボトル２とを分離できるので、ディスペンサ６をボトル２の開口部３から外して、該開口部３より詰め替えの液体化粧料等５を注入すればよいものである。
【産業上の利用可能性】
【００３１】
ボトル内に貯溜する液体化粧料等を、例えば使用直前というように必要に応じて必要な温度に加熱することができるので、低温となって効果が低下したり、粘度が高くなって流動性が低下して使用しにくい液体化粧料等を貯溜するディスペンサ容器に適用することができる。
【図面の簡単な説明】
【００３２】
【図１】本願発明の実施例１のディスペンサ容器の全体斜視図である。
【図２】本願発明の実施例１のディスペンサ容器の縦断面図である。
【図３】本願発明の実施例１のディスペンサの斜視図である。
【図４】本願発明の実施例１のディスペンサ上部の部分断面斜視図である。
【図５】本願発明の実施例１のスイッチ機構の動作を示す斜視図である。
【図６】本願発明の実施例１において、タイマー、スイッチ機構及び電源又は電源に接続する電源アダプターを一つにまとめてコントローラーとした場合の模式図である。
【図７】本願発明の実施例１のディスペンサのヘッド部に一体に保持されるノズル部の変形例の要部拡大縦断面図である。
【符号の説明】
【００３３】
１    ヒーターディスペンサ容器
２    ボトル
３    開口部
４    ねじ部
５    液体化粧料等
６    ディスペンサ
７    ポンプ
８    開口部
９    固定蓋
９ａ    垂下縁
１０    吸入孔
１１    ボール弁
１２    チューブ
１３    ポンプ本体筒
１３ａ    係止段部
１３ｂ    フランジ
１４    空間
１４ａ    空間上部
１４ｂ    空間下部
１５    導入筒
１５ａ    保持部
１６    ピストン
１６ａ    ピストン上部
１７    空気孔
１８    スプリング
１９    ヘッド部
１９ａ    突出部
２０    ジョイント筒
２１    ノズル部
２２    吐出孔
２３    金属製パイプ
２４    ヒーター
２５    断熱材
２６    フレキシブルチューブ
２７    スイッチ機構
２７ａ    スイッチ本体
２７ｂ    スイッチプレート
２７ｃ    スイッチボタン
２８    電源
２８’    電源アダプター
２８”    タイマー
２９    筐体
２９ａ    筐体上部
２９ｂ    筐体下部
３０    バッテリーホルダー
３１    バッテリー
３２    ネジ部
３３    パッキン
３４    上周縁部
３５    スプリング
３６    リード線
３７    コントローラー
３８    コネクター
【図１】
2008110324.tif 000003
【図２】
2008110324.tif 000004
【図３】
2008110324.tif 000005
【図４】
2008110324.tif 000006
【図５】
2008110324.tif 000007
【図６】
2008110324.tif 000008
【図７】
2008110324.tif 000009